(57)【要約】【課題】    外観上、違和感が無く、光源を設けることが出来ると共に、製造コストの増大を抑制出来る外観品質の良好な手摺り構造を提供する。【解決手段】  水平方向に延設される手摺り本体１１を、上，下に分割して、下方から柱材３，３によって支持される手摺り本体下部１３に対して、手摺り本体上部カバー部材１２を開閉可能に係着させて、内部に中空部２１を形成する。  中空部２１内に、蛍光灯２４を有する照明装置２３を設けて、手摺り本体下部１３に形成された窓部２５から、蛍光灯２の照光を下方に向けて照射する。【選択図】図１
2005213862.tif 000002
【特許請求の範囲】
【請求項１】
水平方向に延設される手摺り本体内部に中空部を形成すると共に、該中空部内に光源を
設けて、前記手摺り本体下部に形成された窓部から、該光源の照光を下方に向けて照射す
ることを特徴とする手摺り構造。
【請求項２】
前記手摺り本体を、上，下に分割して、下方から柱材によって支持される手摺り本体下
部に対して、前記手摺り本体上部カバー部材を回動可能に軸支することにより、開閉可能
とする蝶番部を有することを特徴とする請求項１記載の手摺り構造。
【請求項３】
前記中空部には、人の近接を検知する人感センサが設けられていることを特徴とする請
求項１又は２記載の手摺り構造。
【発明の詳細な説明】
【技術分野】
【０００１】
この発明は、屋外に設置される手摺り構造に、照明装置を設けたものに関し、特に、外
観品質の優れた手摺り構造に関するものである。
【背景技術】
【０００２】
従来、図１２及び図１３に示すような手摺り構造が、知られている（例えば、特許文献
１等参照）。
【０００３】
まず、構成から説明すると、この従来の手摺り構造では、建物のベランダ等の床部１の
側縁１ａに沿って略水平に設けられて、複数本の柱材３，３によって、下方から支持され
る手摺り本体２を有している。
【０００４】
この手摺り本体２は、図１３に示すように中実で、下面２ａ側に照明装置４が設けられ
ている。
【０００５】
この照明装置４は、前記各柱材３，３間に装着される光源としての蛍光灯５，５と、平
板状の腰板６，６及び、前記下面２ａに当接される断面略Ｌ字状の反射板７と、この反射
板７に、係止されて断面略湾曲形状を呈する透光性樹脂製カバー部材８とを有して主に構
成されている。
【０００６】
次に、この従来の手摺り構造の作用について説明する。
【０００７】
このように構成された従来の手摺り構造では、前記手摺り本体２の下面２ａ側に設けら
れた照明装置４の蛍光灯５が点灯されると、直接、或いは、前記反射板７で反射されて間
接的に、前記透光性樹脂製カバー部材８を透過する照光によって、前記床部１及び腰板６
，６の内側面が、照らされる。
【０００８】
このため、前記手摺り本体２に沿った長い照光を得られて、充分な光量を得られる。
【特許文献１】特開２０００−６４５４８号公報（図１，図２、明細書段落００１２乃至００１６）
【発明の開示】
【発明が解決しようとする課題】
【０００９】
しかしながら、このような従来の手摺り構造では、前記照明装置４が、前記手摺り本体
２の下面２ａ側に、この手摺り本体２とは、別部材で構成されているので、外観上、一体
感を与えることが困難で、違和感を与える構成となることが多いという問題があった。
【００１０】
しかも、この照明装置４の下面側には、雨水等から、前記蛍光灯５を保護するために、
前記透光性樹脂製カバー部材８を設けなければならず、この点においても、製造コストが
増大してしまうといった問題があった。
【００１１】
そこで、この発明は、外観上、違和感が無く、光源を設けることが出来ると共に、製造
コストの増大を抑制出来る外観品質の良好な手摺り構造を提供することを課題としている
。
【課題を解決するための手段】
【００１２】
上記目的を達成するために、本願発明の請求項１記載のものは、水平方向に延設される
手摺り本体内部に中空部を形成すると共に、該中空部内に光源を設けて、前記手摺り本体
下部に形成された窓部から、該光源の照光を下方に向けて照射する手摺り構造を特徴とし
ている。
【００１３】
また、請求項２に記載されたものは、前記手摺り本体を、上，下に分割して、下方から
柱材によって支持される手摺り本体下部に対して、前記手摺り本体上部カバー部材を回動
可能に軸支することにより、開閉可能とする蝶番部を有する請求項１記載の手摺り構造を
特徴としている。
【００１４】
更に、請求項３に記載されたものは、前記中空部には、人の近接を検知する人感センサ
が設けられている請求項１又は２記載の手摺り構造を特徴としている。
【発明の効果】
【００１５】
このように構成された請求項１記載のものは、前記光源が、中空の手摺り本体の中に設
けられている。
【００１６】
そして、該光源の照光が、前記手摺り本体下部に形成された窓部から、下方に向けて照
射される。
【００１７】
このため、従来のように、別途、手摺り本体の下面側等に、照明部材が設けられる必要
が無くなり、前記手摺り本体上部カバー部材と、前記手摺り本体下部とが上下に合わされ
て構成される手摺り本体によって、一体感が与えられて、違和感を与える構成となる虞が
減少する。
【００１８】
更に、前記光源からの照光が、下方に向けて照射されるため、手摺り部材の下方に位置
する柱材或いは、バルコニー等を照光して間接照明のような照明とすることも出来、該バ
ルコニーに居る人の特に顔等を照らすことが無く、プライバシーが保持される。
【００１９】
しかも、前記光源が、前記手摺り本体の中空部内に設けられて、前記手摺り本体上部カ
バー部材と、前記手摺り本体下部とによって保護されるので、屋外に設置されていても、
耐久性が良好である。
【００２０】
また、請求項２に記載されたものは、前記手摺り本体が、上，下に分割されていて、下
方から柱材によって支持される手摺り本体下部に対して、前記手摺り本体上部カバー部材
が、前記蝶番部によって回動可能に軸支されることにより、該蝶番部を回動中心として、
前記手摺り本体上部カバー部材が、回動されて、該手摺り本体が、開閉される。
【００２１】
従って、前記中空部内に設けられた光源等をメンテナンスする際にも、前記手摺り本体
上部カバー部材を開放して、該手摺り本体下部の上方から、該光源等のメンテナンスを行
うことが出来、メンテナンス性が良好である。
【００２２】
また、前記蝶番部によって、前記手摺り本体上部カバー部材は、開放状態でも支持され
て、離脱する虞が無い。
【００２３】
このため、該手摺り本体上部カバー部材の脱落が防止されるので、この点においてもメ
ンテナンス性が良好である。
【００２４】
更に、請求項３に記載されたものは、前記中空部に設けられた人の近接を検知する人感
センサが、前記手摺り本体上部カバー部材と、前記手摺り本体下部とによって保護されて
いる。
【００２５】
このため、別途カバー部材等を設ける必要が無く、部品点数の増大による製造コストの
増大を抑制出来ると共に、違和感なく、前記手摺り本体の中空部内に納められて、外観品
質も良好である。
【発明を実施するための最良の形態】
【００２６】
次に、図面に基づいて、この発明を実施するための最良の実施の形態の手摺り構造を説
明する。
【００２７】
なお、前記従来例と同一乃至均等な部分については同一符号を付して説明する。
【００２８】
図１乃至図１１は、この発明の最良の実施の形態の手摺り構造を説明するものである。
【００２９】
まず、この実施の形態の構成を説明すると、この発明の実施の形態では、屋外の階段や
、バルコニー或いはベランダ等の床部１の側縁１ａに沿って、略水平に設けられる手摺り
本体１１を有する手摺り部材１０が設けられている。
【００３０】
この手摺り部材１０では、複数本の柱材３，３によって、下方から支持される手摺り本
体１１が、中空形状を呈して、手摺り本体上部カバー部材１２及び手摺り本体下部１３に
、上，下に２分割されて、主に構成されている。
【００３１】
このうち、前記手摺り本体上部カバー部材１２は、図８に示すように、上面部を床部１
方向に内側傾斜させる曲面形状を呈して、人が掴まった際の、触感が良好なものとなるよ
うに構成されている。
【００３２】
また、前記手摺り本体下部１３は、上面側を開放する断面略受け皿状を呈して、底面部
１３ａの下面側には、一定間隔を置いて複数本の柱材３，３の上端面３ａ，３ａが、各々
当接されると共に、複数の支柱固定ネジ１４…によって固定されて、下方からこれらの柱
材３，３によって支持されている。
【００３３】
これらの柱材３，３の裏面３ｂ側には、パネル状に形成される面格子部材１５が設けら
れている。
【００３４】
この面格子部材１５は、主に、前記柱材３，３に、固定具１６ａ及び１７ａを介して固
定されて、水平方向に延設される面格子上枠部材１６及び面格子下枠部材１７と、鉛直方
向に沿って複数本、一定間隔を置いて並設されて、これらの面格子上枠部材１６及び面格
子下枠部材１７間を連結するように設けられる棒状の格子部材１８…とによって、主に構
成されている。
【００３５】
このうち、前記面格子上枠部材１６には、図９に示すように、前記格子部材１８…の各
上端部１８ａ…が、直接、ネジ１９…等によって、固定される格子固定桟部材１６ｃが設
けられている。
【００３６】
また、この格子固定桟部材１６ｃの上部には、この格子固定桟部材１６ｃを、長手方向
に沿って、スライド挿入させて嵌着させる受けレール部材１６ｂが下面側に形成された上
枠本体１６ｄが設けられて、主に構成されている。
【００３７】
そして、前記手摺り本体１１では、前記手摺り本体下部１３に対して、前記手摺り本体
上部カバー部材１２が、蝶番部２０を介して、開閉可能に係着されて、内部に中空部２１
が形成されるように構成されている。
【００３８】
すなわち、この蝶番部２０は、図１０及び図１１に示すように、この手摺り本体１１の
前記手摺り本体下部１３の裏面側側縁に沿って一体に形成された軸状部２０ａに、前記手
摺り本体上部カバー部材１２の裏面側側縁に沿って一体に形成された丸フック状係止部２
０ｂが、回動自在に係止されて、主に構成されている。
【００３９】
更に、この実施の形態では、前記丸フック状係止部２０ｂの外側面から、シール突起片
部２０ｃが、一体に突設形成されている。
【００４０】
このシール突起片部２０ｃは、前記手摺り本体上部カバー部材１２が、閉塞された状態
で、前記手摺り本体下部１３の裏面側側縁に沿って一体に形成された防水補強縦壁部１３
ｂの外側面１３ｃに圧接されて、防水シールが行われるように構成されている。
【００４１】
また、前記手摺り本体下部１３の表面側側縁に沿って、係止部２２の一方を構成するフ
ック受けフランジ部２２ａが一体に形成されている。
【００４２】
そして、このフック受けフランジ部２２ａの前端縁に係止されるように、前記手摺り本
体上部カバー部材１２の表面側側縁に沿って、係止部２２の他方を構成する係止フック部
２２ｂが、一体に形成されている。
【００４３】
更に、この実施の形態では、前記フック受けフランジ部２２ａの基端部側に、一定の幅
ａを有して設けられる水平シール面部２２ｃが、形成されている。
【００４４】
また、前記手摺り本体上部カバー部材１２には、閉塞された状態で、前記水平シール面
部２２ｃに圧接されて、防水シールが行われるように、下面側を開放する断面略コ字状の
上側シール面部２２ｄが、前記係止フック部２２ｂの基端部から一体となるように、前記
中空部２１内側方向に向けて、水平に突設されて形成されている。
【００４５】
そして、前記手摺り本体１１の中空部２１内には、光源としての蛍光灯２４を各々有す
る照明装置２３…が、前記手摺り本体下部１３の底面部１３ａに固定されて、複数設けら
れている。
【００４６】
これらの照明装置２３，２３は、前記柱材３，３間に各々位置するように、設けられて
いる。また、前記手摺り本体下部１３の底面部１３ａには、この蛍光灯２４の照光を下方
に向けて照射する窓部２５が、この蛍光灯２４が固定される位置に対応して開口形成され
ている。
【００４７】
この窓部２５には、前記蛍光灯２４の照光を透過することにより、拡散させる拡散フィ
ルタ部材２６が、設けられていて、蛍光灯２４の照光が下方に向けて照射される際に、拡
散させるように構成されている。
【００４８】
更に、この中空部２１内で、これらの蛍光灯２４，２４間には、人の近接を検知する人
感センサ２７，２７が、各々設けられている。
【００４９】
また、前記手摺り本体下部１３の底面部１３ａには、この人感センサ２７，２７に各々
対応する位置に、センサレンズ２７ａ，２７ａが、一部外部に露出するように装着されて
いる。
【００５０】
そして、これらの照明装置２３，２３及び人感センサ２７，２７は、図示省略の電源等
と接続される電源線２８，及び通信線２９と電気的に接続されていて、屋内の各種スイッ
チのｏｎ，ｏｆｆ動作に応じて、点灯又は消灯及び、前記人感センサ２７，２７による検
知の開始及び終了が制御されるように構成されている。
【００５１】
次に、この実施の形態の手摺り構造の作用について説明する。
【００５２】
このように構成された実施の形態の手摺り構造では、前記照明装置２３の蛍光灯２４が
、前記手摺り本体上部カバー部材１２と、前記手摺り本体下部１３とによって、上，下に
分割された中空の手摺り本体１１の中に設けられている。
【００５３】
そして、この蛍光灯２４の照光が、前記手摺り本体下部１３に形成された窓部２５から
、下方に向けて照射される。
【００５４】
このため、従来のように、別途、手摺り本体の下面側等に、照明部材が設けられる必要
が無くなり、前記手摺り本体上部カバー部材１２と、前記手摺り本体下部１３とが上下に
合わされて構成される手摺り本体１１によって、一体感が与えられて、違和感を与える構
成となる虞が減少する。
【００５５】
更に、前記蛍光灯２４からの照光が、前記窓部２５に設けられた拡散フィルタ部材２６
を透過する際に拡散されて、下方に向けて照射されるため、手摺り本体１１の下方に位置
する柱材３，３、或いは、面格子部材１５の側面やバルコニーの床部１上面等を、広く明
るく照光可能であると共に、間接照明のような照明とすることも出来る。
【００５６】
また、照光が、前記窓部２５に設けられた拡散フィルタ部材２６を透過する際に拡散さ
れて、下方に向けて照射されるため、このバルコニーに居る人の、特に、顔等を照らすこ
とが無く、プライバシーが保持される。
【００５７】
しかも、前記蛍光灯２５を有する照明装置２３が、前記手摺り本体１１の中空部２１内
に設けられて、前記手摺り本体上部カバー部材１２と、前記手摺り本体下部１３とによっ
て保護されるので、耐候性が良好で、屋外に設置されていても、耐久性が良好である。
【００５８】
特に、この実施の形態では、前記蝶番部２０を回動中心として、前記手摺り本体上部カ
バー部材１２を、図８中実線で示すように回動させると、図１１に示されるように、前記
シール突起片部２０ｃが、前記手摺り本体下部１３の裏面側側縁に沿って一体に形成され
た防水補強縦壁部１３ｂの外側面１３ｃに圧接されて、防水シールが行われる。
【００５９】
この状態で、前記係止部２２では、前記係止フック部２２ｂを前記フック受けフランジ
部２２ａに係止させると、前記下面側を開放する断面略コ字状の上側シール面部２２ｄが
、水平シール面部２２ｃに圧接されて、防水シールが行われる。
【００６０】
この際、シール面積が、前記一定の幅ａを有して設けられる水平シール面部２２ｃによ
って、充分に確保されると共に、この水平シール面部２２ｃと共に、防水シールを行う前
記上側シール面部２２ｄが、係止フック部２２ｂの基端部から一体となるように、前記中
空部２１内側方向に向けて、水平に突設されている。
【００６１】
このため、この手摺り本体上部カバー部材１２上方からの雨水が、前端縁の係止フック
部２２ｂ方向に流下するので、前記中空部２１内にこれらの雨水が、更に、浸入しにくい
。
【００６２】
また、この実施の形態では、前記蝶番部２０を回動中心として、前記手摺り本体上部カ
バー部材１２が回動されて、この手摺り本体１１の上部を開閉することが出来る。
【００６３】
従って、前記中空部２１内に設けられた蛍光灯２４或いは、人感センサ１７等をメンテ
ナンスする際にも、前記手摺り本体上部カバー部材１２を開放して、この手摺り本体下部
１３の上方から、これらの蛍光灯２４等のメンテナンスを行うことが出来、メンテナンス
性が良好である。
【００６４】
また、図８又は図１０に示されるように、前記蝶番部２０によって、前記手摺り本体上
部カバー部材１２が、開放状態でも支持されて、前記手摺り本体下部１３から離脱する虞
が無い。
【００６５】
このため、この手摺り本体上部カバー部材１２の脱落が防止されるので、所定の重量を
有するこの手摺り本体上部カバー部材１２が、作業面積が限られるバルコニー等の床部１
に一時載置されるスペースを設ける必要もない。
【００６６】
従って、この点においてもメンテナンス性が良好である。
【００６７】
更に、前記中空部２１に設けられた人の近接を検知する人感センサ２７が、前記手摺り
本体上部カバー部材１２と、前記手摺り本体下部１３とによって保護されている。
【００６８】
このため、別途カバー部材等を設ける必要が無く、部品点数の増大による製造コストの
増大を抑制出来ると共に、違和感なく、前記手摺り本体１１の中空部２１内に納められて
、外観品質も良好である。
【００６９】
以上、図面を参照して、本発明の実施の形態を詳述してきたが、具体的な構成は、この
実施の形態に限らず、本発明の要旨を逸脱しない程度の設計的変更は、本発明に含まれる
。
【００７０】
即ち、実施の形態では、窓部２５には、前記蛍光灯２４の照光を透過することにより、
拡散させる拡散フィルタ部材２６が、設けられていて、蛍光灯２４の照光が下方に向けて
照射される際に、拡散させるように構成されているが、特に、これに限らず、例えば、前
記窓部２５に、蛍光灯２４の照光を透過させる際に屈曲するレンズ部材等、他の光学手段
を用いても良く、又は、これらの拡散フィルタ部材２６とレンズ部材との組み合わせであ
ってもよく、これらの光学手段の形状、数量、及び材質が特に限定されるものではない。
【図面の簡単な説明】
【００７１】
【図１】この発明の実施の形態の手摺り構造で、バルコニーに設置された手摺り部材の全体の構成を説明する手摺り本体上部カバーを開放した状態での斜視図である。
【図２】実施の形態の手摺り構造で、バルコニーに設置された手摺り部材の全体の構成を説明する手摺り本体上部カバーを閉塞した状態での斜視図である。
【図３】実施の形態の手摺り構造で、手摺り部材の背面図である。
【図４】実施の形態の手摺り構造で、手摺り部材の正面図である。
【図５】この発明の実施の形態の手摺り構造で、図４中Ａ−Ａ線に沿った位置での断面図である。
【図６】実施の形態の手摺り構造で、図４中Ｂ−Ｂ矢視線から見た上面図である。
【図７】実施の形態の手摺り構造で、図４中Ｃ−Ｃ線に沿った位置での断面図である。
【図８】実施の形態の手摺り構造で、図４中Ｄ−Ｄ線に沿った位置での断面図である。
【図９】実施の形態の手摺り構造で、全体の構成を説明する分解斜視図である。
【図１０】実施の形態の手摺り構造で、図４中Ｅ−Ｅ線に相当する位置での手摺り本体の手摺り本体上部カバーが開放された状態での縦断面図である。
【図１１】実施の形態の手摺り構造で、手摺り本体の手摺り本体上部カバーが閉塞された状態での縦断面図である。
【図１２】従来例の手摺り構造で、全体の構成を説明する分解斜視図である。
【図１３】従来例の手摺り構造で、図１２中Ｆ−Ｆ線に沿った位置での断面図である。
【符号の説明】
【００７２】
３                柱材
１１              手摺り本体
１２              手摺り本体上部カバー部材
１３              手摺り本体下部
２０              蝶番部
２１              中空部
２４              蛍光灯（光源）
２５              窓部
２７              人感センサ
【図１】
2005213862.tif 000003
【図２】
2005213862.tif 000004
【図３】
2005213862.tif 000005
【図４】
2005213862.tif 000006
【図５】
2005213862.tif 000007
【図６】
2005213862.tif 000008
【図７】
2005213862.tif 000009
【図８】
2005213862.tif 000010
【図９】
2005213862.tif 000011
【図１０】
2005213862.tif 000012
【図１１】
2005213862.tif 000013
【図１２】
2005213862.tif 000014
【図１３】
2005213862.tif 000015